(57)【要約】      （修正有）【課題】鍵盤蓋が不用意に開閉することがなく、安全に移動や搬送ができる鍵盤楽器を提供する。【解決手段】鍵盤部が設けられた楽器ケース１と、この楽器ケース１に設けられ、鍵盤部を開閉可能に覆う鍵盤蓋１０と、この鍵盤蓋１０が鍵盤部を覆って閉じた際に、その閉動作によって鍵盤蓋１０を楽器ケース１に対してロックするロック機構２０と、を備えている。従って、鍵盤蓋１０を閉じた際に、ロック機構２０によって鍵盤蓋１０を楽器ケース１に対してロックすることができ、これにより鍵盤蓋１０が不用意に開閉するのを防ぐことができるので、鍵盤蓋１０で手や指を挟んで怪我をすることがなく、安全に移動や搬送ができる。【選択図】図３
2015079133.tif 000002
【特許請求の範囲】
【請求項１】
鍵盤部が設けられた楽器ケースと、
この楽器ケースに設けられ、前記鍵盤部を開閉可能に覆う鍵盤蓋と、
前記鍵盤蓋が前記鍵盤部を覆って閉じた際に、その閉動作によって前記鍵盤蓋を前記楽器ケースに対してロックするロック機構と、
を備えていることを特徴とする鍵盤楽器。
【請求項２】
請求項１に記載の鍵盤楽器において、前記ロック機構は、前記楽器ケースに弾力的に出没可能に設けられたロック釦と、前記鍵盤蓋に設けられ、前記鍵盤蓋が閉じた際に前記ロック釦に係止されるロック係止部と、を備えていることを特徴とする鍵盤楽器。
【請求項３】
請求項１に記載の鍵盤楽器において、前記ロック機構は、前記鍵盤蓋に回転可能に取り付けられたロック部材と、前記楽器ケースに設けられ、前記鍵盤蓋が閉じた際に前記ロック部材を係脱可能に係止するロック係止部と、を備えていることを特徴とする鍵盤楽器。
【請求項４】
請求項３に記載の鍵盤楽器において、前記ロック機構は、前記ロック部材を前記ロック係止部に向けて付勢する付勢部材とを備えていることを特徴とする鍵盤楽器。
【請求項５】
請求項３または請求項４に記載の鍵盤楽器において、前記ロック機構は、前記ロック部材の回転範囲を規制する回転規制部を備えていることを特徴とする鍵盤楽器。
【発明の詳細な説明】
【技術分野】
【０００１】
この発明は、電子ピアノや電子オルガンなどの鍵盤楽器に関する。
【背景技術】
【０００２】
例えば、電子ピアノなどの鍵盤楽器においては、特許文献１に記載されているように、楽器ケース内の鍵盤部を鍵盤蓋で開閉可能に覆うように構成されたものが知られている。
【先行技術文献】
【特許文献】
【０００３】
【特許文献１】特開２０１３−１１７２９号公報
【０００４】
このような鍵盤楽器は、楽器ケースに鍵盤蓋のガイド部材をガイドするガイド部が設けられ、このガイド部で鍵盤蓋のガイド部材をガイドして鍵盤蓋を閉じた際に、鍵盤蓋が鍵盤部の上方に配置されて鍵盤部を覆い、またガイド部で鍵盤蓋のガイド部材をガイドして鍵盤蓋を開いた際に鍵盤蓋が楽器ケース内に収納されて鍵盤部を開放させるように構成されている。
【０００５】
また、この鍵盤楽器は、鍵盤蓋をスライドさせて閉じる際に、鍵盤蓋が閉じる手前で、鍵盤蓋の閉じる動作を一旦停止させることにより、鍵盤蓋で手や指を挟まないように構成されている。すなわち、この鍵盤楽器では、ガイド部の前部に凹溝部を設け、鍵盤蓋が閉じる手前で、ガイド部の凹溝部にガイド部材を一旦落とし込むことにより、鍵盤蓋の閉じる動作を一旦停止させるように構成されている。
【発明の概要】
【発明が解決しようとする課題】
【０００６】
しかしながら、このような鍵盤楽器では、鍵盤蓋をスライドさせて閉じる際に、鍵盤蓋で手や指を挟んで怪我をしないようにすることができても、鍵盤楽器を移動したり、搬送したりする際に、鍵盤蓋が不用意に開閉動作するため、テープなどで鍵盤蓋を楽器ケースに固定しなければ、手や指を挟んで怪我をする危険性がある。
【０００７】
この発明が解決しようとする課題は、鍵盤蓋が不用意に開閉することがなく、安全に移動や搬送ができる鍵盤楽器を提供することである。
【課題を解決するための手段】
【０００８】
この発明は、鍵盤部が設けられた楽器ケースと、この楽器ケースに設けられ、前記鍵盤部を開閉可能に覆う鍵盤蓋と、前記鍵盤蓋が前記鍵盤部を覆って閉じた際に、その閉動作によって前記鍵盤蓋を前記楽器ケースに対してロックするロック機構と、を備えていることを特徴とする鍵盤楽器である。
【発明の効果】
【０００９】
この発明によれば、鍵盤蓋を閉じた際に、ロック機構によって鍵盤蓋を楽器ケースに対してロックすることができるので、鍵盤蓋が不用意に開閉するのを防ぐことができ、これにより手や指を挟んで怪我をすることがなく、安全に移動や搬送ができる。
【図面の簡単な説明】
【００１０】
【図１】この発明を鍵盤楽器に適用した第１実施形態において、鍵盤蓋を閉じた状態を示した断面図である。
【図２】図１に示された鍵盤楽器において、鍵盤蓋を開いた状態を示した断面図である。
【図３】図１に示された鍵盤楽器において、ロック機構を示した要部の拡大斜視図である。
【図４】図３に示された鍵盤楽器におけるロック機構のロック釦を示した要部の拡大斜視図である。
【図５】図３に示された鍵盤楽器におけるロック機構のロック係止部を示した要部の拡大斜視図である。
【図６】図３に示された鍵盤楽器のロック機構におけるＡ−Ａ矢視を示し、（ａ）はそのロック機構によって鍵盤蓋をロックした状態を示した要部の拡大断面図、（ｂ）はロック機構による鍵盤蓋のロックが解除された状態を示した要部の拡大断面図である。
【図７】この発明を鍵盤楽器に適用した第２実施形態において、ロック機構によって鍵盤蓋をロックした状態を示した要部の拡大断面図である。
【図８】図７に示された鍵盤楽器の前側ガイド部およびロック機構のロック係止部を示した拡大断面図である。
【図９】図７に示された鍵盤楽器の要部において、ロック機構を一部破断して示した要部の拡大正面図である。
【図１０】図９に示されたロック機構の要部を示し、（ａ）はそのＢ−Ｂ矢視における拡大断面図、（ｂ）はそのＣ−Ｃ矢視における拡大断面図である。
【発明を実施するための形態】
【００１１】
（第１実施形態）
以下、図１〜図６を参照して、この発明を適用した鍵盤楽器の第１実施形態について説明する。
この鍵盤楽器は、図１および図２に示すように、楽器ケース１を備えている。
【００１２】
この楽器ケース１は、図１および図２に示すように、脚部を兼ねる一対の側板２を備えている。これら一対の側板２の間には、棚板である底板３が設けられている。この底板３の前端部（図１では左側端部）には、前板４が起立して設けられている。また、この底板２の後端部（図１では右側端部）には、後板５が起立して設けられている。この後板５は、前板４よりも高く形成されている。
【００１３】
これにより、一対の側板２の各上端部は、図１および図２に示すように、その前後方向（図１では左右方向）ける中間部よりも後側部が後板５と同じ高さで形成され、中間部よりも前側部が前板４の上端部向けて前下がりに傾斜する傾斜部２ａに形成されている。また、一対の側板２の後側上端部および後板５の上端部には、天板６が設けられている。これにより、楽器ケース１は、天板６の前側が上方に開放されたほぼ箱形状に形成されている。
【００１４】
この楽器ケース１内には、図１および図２に示すように、鍵盤部７が上方に露呈した状態で設けられている。この鍵盤部７は、楽器ケース１内の底板３上の前部側に配置された鍵盤シャーシ（図示せず）と、この鍵盤シャーシ上に並列に配列された複数の鍵８とを備えている。この場合、複数の鍵８は、複数の白鍵と複数の黒鍵とを備え、これらが鍵盤シャーシ上に上下方向に回転可能に取り付けられ、この状態で楽器ケース１の上方に露出するように構成されている。
【００１５】
また、この楽器ケース１には、図１および図２に示すように、鍵盤部７の上側を開閉可能に覆う鍵盤蓋１０が前後方向（図１では左右方向）にスライド可能に設けられている。この鍵盤蓋１０は、図１に示すように、鍵盤部７を覆って閉じた状態のときに、鍵盤部７の上方に配置され、その前端部（図１では左端部）が楽器ケース１の前板４上に位置し、後端部（図１では右端部）が楽器ケース１の天板６の前部下側に位置するように構成されている。
【００１６】
また、この鍵盤蓋１０は、図２に示すように、鍵盤部７を露出させて開いた状態のときに、天板６の下側に位置して楽器ケース１内に収納され、その前端部（図２では左端部）が楽器ケース１の天板６の前部下側に位置し、後端部（図２では右端部）が楽器ケース１の後板５に接近するように構成されている。
【００１７】
この場合、鍵盤蓋１０の前端部には、図１〜図３に示すように、取手部１１が設けられている。この取手部１１には、前板部１２が垂下されて設けられている。この前板部１２の下部両側には、それぞれガイド軸部１３が楽器ケース１の側板２の内面に向けて突出して設けられている。
【００１８】
また、この鍵盤蓋１０の後端部には、図１および図２に示すように、後側金具１４が下側に向けて設けられている。この後側金具１４には、シャフト１５が回転可能に取り付けられている。このシャフト１５の両端部には、ピニオンギア１６がシャフト１５と共に回転するように取り付けられている。
【００１９】
一方、楽器ケース１における一対の側板２の各内面には、図１および図２に示すように、鍵盤蓋１０の前端部に設けられた取手部１１のガイド軸部１３をガイドする前側ガイド部１７と、鍵盤蓋１０の後端部に設けられたシャフト１５およびピニオンギア１６をガイドする後側ガイド部１８とが設けられている。
【００２０】
前側ガイド部１７は、図１および図２に示すように、楽器ケース１の側板２の内面に、その前端部から前後方向における中間部、つまり天板６の前端部の下側に位置する側板２の中間部に亘って嵌め込まれたガイド板である。この前側ガイド板１７には、鍵盤蓋１０の前端部のガイド軸部１３をガイドするガイド溝部１７ａが、前板４の上端部に位置する個所から鍵盤部７の上側に沿って緩やかに傾斜して設けられている。
【００２１】
後側ガイド部１８は、図１および図２に示すように、楽器ケース１の側板２の内面に、その前後方向における中間部、つまり天板６の前端部の下側に位置する側板２の中間部から天板６の後端部の下側に位置する個所に亘って設けられている。この後側ガイド部１８は、鍵盤蓋１０のシャフト１５をガイドするガイド溝部１８ａと、鍵盤蓋１０のシャフト１５に設けられたピニオンギア１６が噛み合って回転移動するラックギア１８ｂとを備え、これらが後方に向けて斜め下側に緩やかに傾斜して設けられた構成になっている。
【００２２】
これにより、鍵盤蓋１０は、図１に示すように、鍵盤部７を覆って閉じた際に、鍵盤蓋１０の前端部に位置するガイド軸部１３が、前板４上に位置する前側ガイド部１７のガイド溝部１７ａの前端部に位置し、鍵盤蓋１０の後端部に位置するシャフト１５およびピニオンギア１６が天板６の前部下側に位置する後側ガイド部１８のガイド溝部１８ａとラックギア１８ｂとの各前端部に位置するように構成されている。
【００２３】
また、この鍵盤蓋１０は、図２に示すように、鍵盤部７を開放させて開いた際に、鍵盤蓋１０の前端部に位置するガイド軸部１３が、天板６の前部下側に位置する前側ガイド部１７のガイド溝部１７ａの後端部に位置し、鍵盤蓋１０の後端部に位置するシャフト１５およびピニオンギア１６が、天板６の後端部下側に位置する後側ガイド部１８のガイド溝部１８ａとラックギア１８ｂとの各後端部に位置して、楽器ケース１内に収納されるように構成されている。
【００２４】
ところで、この鍵盤楽器は、図３〜図６に示すように、鍵盤蓋１０が鍵盤部７を覆って閉じた際に、その閉動作によって鍵盤蓋１０を楽器ケース１に対してロックするロック機構２０を備えている。このロック機構２０は、楽器ケース１に出没可能に設けられたロック釦２１と、鍵盤蓋１０に設けられて鍵盤蓋１０が閉じた際にロック釦２１に係止されるロック係止部２２と、ロック釦２１を弾力的に押し出す方向に付勢するばね部材２３と、を備えている。
【００２５】
ロック釦２１は、図３および図６に示すように、釦頭部２１ａと釦軸２１ｂとを有し、これらが楽器ケース１内の両側に鍵盤部７と並んで設けられたサイドブロック２４の前端部に設けられた取付孔２５内に出没可能に配置されるように構成されている。この場合、釦頭部２１ａは、その上部に傾斜部２６ａが設けられ、下部に係止部２６ｂが設けられ、取付孔２５の釦収納孔部２５ａ内に出没可能に配置されるように構成されている。
【００２６】
釦軸２１ｂは、図６（ａ）および図６（ｂ）に示すように、取付孔２５の軸孔部２５ｂ内にスライド可能に配置され、サイドブロック２４の内部に突出した内端部に抜止め部材２６が設けられ、この抜止め部材２６がサイドブロック２４の内端面に当接することにより、ロック釦２１がサイドブロック２４の外部に抜け出さないように構成されている。
【００２７】
ばね部材２３は、図６（ａ）および図６（ｂ）に示すように、取付孔２５の釦収納孔部２５ａ内に配置され、その外端部が釦頭部２１ａの内面に弾接し、内端部が釦収納孔部２５ａの底部に弾接し、これによりロック釦２１をサイドブロック２４の外部に押し出すように構成されている。ロック係止部２２は、図４〜図６に示すように、鍵盤蓋１０の前端部に設けられた取手部１１の前板部１２に設けられた切欠き部であり、その内部にロック部端２１の釦頭部２１ａが出没可能に挿入するように構成されている。
【００２８】
これにより、ロック機構２０は、図６（ａ）および図６（ｂ）に示すように、鍵盤蓋１０が鍵盤部７を覆って閉じる際に、その閉動作によって取手部１１の前板部１２の下端部がロック釦２１の釦頭部２１ａにおける上部の傾斜部２６ａに沿って移動することにより、ばね部材２３のばね力に抗して釦頭部２１ａが取付孔２５の釦収納孔部２５ａ内に押し込まれるように構成されている。
【００２９】
また、このロック機構２０は、図６（ａ）および図６（ｂ）に示すように、ばね部材２３のばね力に抗して釦頭部２１ａが取付孔２５の釦収納孔部２５ａ内に押し込まれて、取手部１１の前板部１２の下端部がロック釦２１の釦頭部２１ａを通過すると、ロック係止部２２が釦頭部２１ａに対応し、このロック係止部２２内に釦頭部２１ａがばね部材２３のばね力によって押し込まれるように構成されている。
【００３０】
このため、このロック機構２０は、図６（ａ）および図６（ｂ）に示すように、ロック係止部２２内に釦頭部２１ａがばね部材２３のばね力によって押し込まれると、ロック係止部２２内の下端部が釦頭部２１ａの下部の係止部２６ｂに当接し、取手部１１の前板部１２が上方に移動しないように係止されることにより、鍵盤蓋１０を楽器ケース１に対してロックするように構成されている。
【００３１】
また、このロック機構２０は、図６（ａ）および図６（ｂ）に示すように、ばね部材２３のばね力に抗してロック釦２１の釦頭部２１ａが押し込まれると、釦頭部２１ａの下部の係止部２６ｂがロック係止部２２内の下端部から離れて、取手部１１の前板部１２に対する釦頭部２１ａの係止が解除されることにより、取手部１１の前板部１２を上方に移動可能になり、鍵盤蓋１０の開き動作が可能になるように構成されている。
【００３２】
次に、このような鍵盤楽器の作用について説明する。
この鍵盤楽器を使用する際には、まず、ロック機構２０による鍵盤蓋１０のロックを解除する。このときには、ばね部材２３のばね力に抗してロック釦２１の釦頭部２１ａを押し込む。すると、釦頭部２１ａの下部の係止部２６ｂがロック係止部２２内の下端部から離れて、取手部１１の前板部１２に対する釦頭部２１ａの係止が解除される。
【００３３】
この状態で、鍵盤蓋１０の前端部に設けられた取手部１１を持ち上げて楽器ケース１の後方に向けて移動させる。このときには、鍵盤蓋１０の前端部に位置するガイド軸部１３が、前側ガイド部１７のガイド溝部１７ａにガイドされて楽器ケース１の後部側に向けて移動すると共に、鍵盤蓋１０の後端部に位置するシャフト１５およびピニオンギア１６が、後側ガイド部１８のガイド溝部１８ａとラックギア１８ｂとでガイドされて楽器ケース１の後部側に向けて移動する。
【００３４】
そして、鍵盤蓋１０が楽器ケース１内に収納されると、鍵盤蓋１０の前端部に位置するガイド軸部１３が、天板６の前部下側に位置する前側ガイド部１７のガイド溝部１７ａの後端部に位置すると共に、鍵盤蓋１０の後端部に位置するシャフト１５およびピニオンギア１６が、天板６の後端部下側に位置する後側ガイド部１８のガイド溝部１８ａとラックギア１８ｂとの各後端部に位置する。これにより、鍵盤蓋１０が開いて鍵盤部７を開放し、鍵盤操作が可能になる。
【００３５】
また、この鍵盤楽器を使用しないときには、鍵盤蓋１０の前端部に設けられた取手部１１を持ち上げて楽器ケース１の前方に向けて移動させて、鍵盤蓋１０を鍵盤部７の上方に配置させて覆う。このときには、鍵盤蓋１０の前端部に位置するガイド軸部１３が、前板４上に位置する前側ガイド部１７のガイド溝部１７ａの前端部に位置し、鍵盤蓋１０の後端部に位置するシャフト１５およびピニオンギア１６が天板６の前部下側に位置する後側ガイド部１８のガイド溝部１８ａとラックギア１８ｂとの各前端部に位置する。
【００３６】
このように、鍵盤蓋１０が鍵盤部７の上方に配置されて鍵盤部７を覆う際には、図６（ａ）および図６（ｂ）に示すように、取手部１１の前板部１２の下端部がロック釦２１の釦頭部２１ａにおける上部の傾斜部２６ａに沿って移動し、ばね部材２３のばね力に抗して釦頭部２１ａを取付孔２５の釦収納孔部２５ａ内に押し込む。
【００３７】
そして、取手部１１の前板部１２の下端部がロック釦２１の釦頭部２１ａを通過すると、ロック係止部２２が釦頭部２１ａに対応し、このロック係止部２２内に釦頭部２１ａがばね部材２３のばね力によって押し込まれる。このため、ロック係止部２２内の下端部が釦頭部２１ａの下部の係止部２６ｂに当接して、取手部１１の前板部１２が上方に移動しないように係止される。
【００３８】
これにより、鍵盤蓋１０が楽器ケース１に対してロックされる。この状態では、鍵盤蓋１０が不用意に開閉することがない。このため、鍵盤楽器を移動したり運搬したりする際に、鍵盤蓋１０によって手や指を挟んで怪我をしないようにすることができるので、安全に鍵盤楽器を移動させたり搬送させたりすることができる。
【００３９】
このように、この鍵盤楽器によれば、鍵盤部７が設けられた楽器ケース１と、この楽器ケース１に設けられ、鍵盤部７を開閉可能に覆う鍵盤蓋１０と、この鍵盤蓋１０が鍵盤部７を覆って閉じた際に、その閉動作によって鍵盤蓋１０を楽器ケース１に対してロックするロック機構２０と、を備えているので、鍵盤蓋１０を閉じた際に、ロック機構２０によって鍵盤蓋１０を楽器ケース１に対してロックすることができ、これにより鍵盤蓋１０が不用意に開閉するのを防ぐことができるので、鍵盤蓋１０で手や指を挟んで怪我をすることがなく、安全に移動や搬送ができる。
【００４０】
この場合、ロック機構２０は、楽器ケース１に弾力的に出没可能に設けられたロック釦２１と、鍵盤蓋１０に設けられて鍵盤蓋１０が閉じた際にロック釦２１に係止されるロック係止部２２と、を備えているので、鍵盤蓋１０を閉じる際に、ロック係止部２２がロック釦２１を楽器ケース１内に弾力的に押し込んで通過すると、ロック釦２１が弾力的に楽器ケース１から押し出されてロック係止部２２を係止することができ、これにより自動的に鍵盤蓋１０を楽器ケース１に対してロックすることができる。
【００４１】
すなわち、このロック機構２０では、鍵盤蓋１０が鍵盤部７を覆って閉じる際に、その閉動作によって取手部１１の前板部１２がロック釦２１の釦頭部２１ａにおける上部の傾斜部２６ａに沿って移動し、ばね部材２３のばね力に抗して釦頭部２１ａを取付孔２５の釦収納孔部２５ａ内に押し込むことができるので、取手部１１の前板部１２の下端部をロック釦２１の釦頭部２１ａの下側に通過させることができる。
【００４２】
このため、このロック機構２０では、取手部１１の前板部１２の下端部がロック釦２１の釦頭部２１ａを通過すると、ロック係止部２２内に釦頭部２１ａをばね部材２３のばね力によって押し込むことができるので、ロック係止部２２内の下端部を釦頭部２１ａの係止部２６ｂで係止することができ、これにより鍵盤蓋１０を楽器ケース１に対して自動的にロックすることができる。
【００４３】
また、このロック機構２０は、ばね部材２３のばね力に抗してロック釦２１の釦頭部２１ａを押し込むと、釦頭部２１ａの下部の係止部２６ｂがロック係止部２２内の下端部から離れて、取手部１１の前板部１２に対する釦頭部２１ａの係止を解除することができるので、取手部１１の前板部１２を上方に移動させることができ、これにより容易に鍵盤蓋１０を開くことができる。
【００４４】
（第２実施形態）
次に、図７〜図１０を参照して、この発明を適用した鍵盤楽器の第２実施形態について説明する。なお、図１〜図６に示された第１実施形態と同一部分には同一符号を付して説明する。
この鍵盤楽器は、図７に示すように、鍵盤蓋１０を楽器ケース１に対してロックするロック機構３０が第１実施形態と異なる構成であり、これ以外は第１実施形態とほぼ同じ構成になっている。
【００４５】
すなわち、このロック機構３０は、図７〜図１０に示すように、鍵盤蓋１０の前端部に設けられた取手部１１の前板部１２に回転可能に取り付けられたロック部材３１と、楽器ケース１の側板２の内面に設けられて鍵盤蓋１０が閉じた際にロック部材３１に設けられたロックピン３２を係脱可能に係止するロック係止部３３と、を備えている。
【００４６】
この場合、ロック部材３１は、図９に示すように、取手部１１の前板部１２に取り付けられた軸部３１ａと、この軸部３１ａに回転自在に取り付けられたロック板３１ｂと、を有し、ロック板３１ｂが軸部３１ａを中心に楽器ケース１の前後方向に回転するように構成されている。
【００４７】
この場合、軸部３１ａは、図９に示すように、その一端部が側板２のガイド溝部１７ａ内に移動可能に挿入するように構成されている。ロックピン３２は、ロック板３１ｂの下部に側板２のガイド溝部１７ａに向けて突出し、この突出した先端部３２ａがガイド溝部１７ａ内に移動可能に挿入するように構成されている。
【００４８】
ロック係止部３３は、図７および図８に示すように、ガイド溝部１７ａの下端部から楽器ケース１の前側（図７では右側）に向けて連続して突出する溝部であり、この溝部にロックピン３２の先端部３２ａが挿入するように構成されている。これにより、ロック係止部３３は、ロックピン３２の先端部３２ａが挿入した際に、ロックピン３２の先端部３２ａを係止して、鍵盤蓋１０が上方に向けて移動しないように構成されている。
【００４９】
また、このロック機構３０は、図９に示すように、ロック部材３１のロックピン３２をロック係止部３３に向けて付勢するばね部材３４を備えている。このばね部材３４は、ねじりコイルばねであり、軸部３１ａに巻き付けられた状態で、一端部３４ａが取手部１１の前板部１２に当接し、他端部３４ｂがロック板３１ｂに当接している。これにより、ばね部材３４は、ロック部材３１のロックピン３２がロック係止部３３に挿入する方向に向けて、ロック板３１ｂを付勢するように構成されている。
【００５０】
この場合、ロック部材３１のロック板３１ｂは、図９および図１０に示すように、その回転範囲が回転規制部３５によって規制されるように構成されている。この回転規制部３５は、軸部３１ａの周囲に位置するロック板３１ｂの個所にその回転方向に沿って設けられた規制凹部３５ａと、取手部１１の前板部１２に設けられて規制凹部３５ａに挿入する突起部３５ｂとを有している。
【００５１】
これにより、回転規制部３５は、図１０（ｂ）に示すように、ばね部材３４のばね力によってロック板がロックピン３２をロック係止部３３に向けて押し出す方向に付勢され、ロックピン３２がロック係止部３３に挿入して係止された際に、突起部３５ｂが規制凹部３５ａの一端部（図１０（ｂ）では右端部）に接近するように構成されている。
【００５２】
また、回転規制部３５は、図１０（ｂ）に示すように、鍵盤蓋１０が開いて鍵盤部７を開放して、ロックピン３２がロック係止部３３から離脱してガイド溝部１７ａ内を移動する際に、ばね部材３４のばね力に抗してロックピン３２がガイド溝部１７ａで押されることにより、突起部３５ｂが規制凹部３５ａの他端部（図１０（ｂ）では左端部）に接近するように構成されている。
【００５３】
次に、このような鍵盤楽器におけるロック機構３０の作用について説明する。
この鍵盤楽器を使用する際には、まず、ロック機構３０による鍵盤蓋１０のロックを解除する。このときには、ばね部材３４のばね力に抗してロック部材３１のロック板３１ｂを押して、軸部３１ａを中心にロック板３１ｂを回転させる。
【００５４】
すると、ロック板３１ｂに設けられたロックピン３２の先端部３２ａがロック係止部３３から離脱して、前側ガイド部１７のガイド溝１７ａ内に挿入する。これにより、ロック係止部３３によるロックピン３２の係止が解除される。この状態では、第１実施形態と同様、鍵盤蓋１０の前端部に設けられた取手部１１を持ち上げて、鍵盤蓋１０を楽器ケース１の後方に向けて移動させることができる。
【００５５】
また、この鍵盤楽器を使用しないときには、鍵盤蓋１０の前端部に設けられた取手部１１を持ち上げて楽器ケース１の前方に向けて移動させて、鍵盤蓋１０を鍵盤部７の上方に配置させて覆う。このときには、図７に示すように、ロック部材３１の軸部３１ａとロックピン３２の先端部３２ａがガイド溝部１７ａに沿って下側に移動する。
【００５６】
そして、ロックピン３２の先端部３２ａがガイド溝部１７ａガイド溝部１７ａの下端部に到達すると、ばね部材３４のばね力によってロック板３１ｂが楽器ケース１の前側に向けて押し出される。これに伴って、ロックピン３２の先端部３２ａがガイド溝部１７ａからロック係止部３３に挿入して係止される。このため、取手部１１の前板部１２が上方に移動しないように係止される。
【００５７】
これにより、鍵盤蓋１０が楽器ケース１に対してロックされる。この状態では、第１実施形態と同様、鍵盤蓋１０が不用意に開閉することがない。このため、鍵盤楽器を移動したり運搬したりする際に、鍵盤蓋１０によって手や指を挟んで怪我をしないようにすることができるので、安全に鍵盤楽器を移動させたり搬送させたりすることができる。
【００５８】
このように、この鍵盤楽器よれば、第１実施形態と同様、鍵盤蓋１０を閉じた際に、ロック機構３０によって鍵盤蓋１０を楽器ケース１に対してロックすることができ、これにより鍵盤蓋１０が不用意に開閉するのを防ぐことができるので、鍵盤蓋１０で手や指を挟んで怪我をすることがなく、安全に移動や搬送ができる。
【００５９】
この場合、ロック機構３０は、鍵盤蓋１０に回転可能に取り付けられたロック部材３１と、楽器ケース１の側板２に設けられて鍵盤蓋１０が閉じた際にロック部材３１に設けられたロックピン３２の先端部３２ａを係脱可能に係止するロック係止部３３と、を備えていることにより、鍵盤蓋１０を閉じる際に、ロック部材３１に設けられたロックピン３２をロック係止部３３を係止させることができ、これにより自動的に鍵盤蓋１０を楽器ケース１に対してロックすることができる。
【００６０】
また、このロック機構３０は、ロック部材３１のロック板３１ｂを押すと、ロック板３１ｂが軸部３１ａを中心に回転してロックピン３２がロック係止部３３内から離脱してガイド溝部１７ａ内に挿入することにより、取手部１１の前板部１２に対する係止を解除することができ、取手部１１の前板部１２を上方に移動させることができるので、容易に鍵盤蓋１０を開くことができる。
【００６１】
また、このロック機構３０は、ロック部材３１のロックピン３２をロック係止部３３に向けて付勢するばね部材３４を備えていることにより、ロック部材３１に設けられたロックピン３２をばね部材３４のばね力によってロック係止部３３に確実にかつ良好に係止させることができる。
【００６２】
また、このロック機構３０は、ロック部材３１のロック板３１ｂをばね部材３４のばね力に抗して押すだけで、軸部３１ａを中心にロック板３１ｂを回転させて、ロック部材３１に設けられたロックピン３２をばね部材３４のばね力によってロック係止部３３から離脱させることができるので、取手部１１の前板部１２に対する係止を簡単に解除することができる。
【００６３】
さらに、このロック機構３０は、ロック部材３１の回転範囲を規制する回転規制部３５を備えていることにより、ばね部材３４によってロック部材３１が必要以上に回転するのを規制することができるので、ロックピン３２の移動範囲を確実にかつ良好に規制することができ、これによりロック係止部３３対するロックピン３２のロックおよびその解除を円滑に行うことができる。
【００６４】
なお、上述した第１、第２の各実施形態では、鍵盤蓋１０が楽器ケース１に対してスライド可能に設けられている場合について述べたが、これに限らず、例えば鍵盤蓋が楽器ケースに軸部材によって回転可能に取り付けられることにより、この鍵盤蓋が回転して鍵盤部を開閉する構成であっても良い。
【００６５】
以上、この発明のいくつかの実施形態について説明したが、この発明は、これらに限られるものではなく、特許請求の範囲に記載された発明とその均等の範囲を含むものである。
以下に、本願の特許請求の範囲に記載された発明を付記する。
【００６６】
（付記）
請求項１に記載の発明は、鍵盤部が設けられた楽器ケースと、この楽器ケースに設けられ、前記鍵盤部を開閉可能に覆う鍵盤蓋と、前記鍵盤蓋が前記鍵盤部を覆って閉じた際に、その閉動作によって前記鍵盤蓋を前記楽器ケースに対してロックするロック機構と、を備えていることを特徴とする鍵盤楽器である。
【００６７】
請求項２に記載の発明は、請求項１に記載の鍵盤楽器において、前記ロック機構は、前記楽器ケースに弾力的に出没可能に設けられたロック釦と、前記鍵盤蓋に設けられ、前記鍵盤蓋が閉じた際に前記ロック釦に係止されるロック係止部と、を備えていることを特徴とする鍵盤楽器である。
【００６８】
請求項３に記載の発明は、請求項１に記載の鍵盤楽器において、前記ロック機構は、前記鍵盤蓋に回転可能に取り付けられたロック部材と、前記楽器ケースに設けられ、前記鍵盤蓋が閉じた際に前記ロック部材を係脱可能に係止するロック係止部と、を備えていることを特徴とする鍵盤楽器である。
【００６９】
請求項４に記載の発明は、請求項３に記載の鍵盤楽器において、前記ロック機構は、前記ロック部材を前記ロック係止部に向けて付勢する付勢部材とを備えていることを特徴とする鍵盤楽器である。
【００７０】
請求項５に記載の発明は、請求項３または請求項４に記載の鍵盤楽器において、前記ロック機構は、前記ロック部材の回転範囲を規制する回転規制部を備えていることを特徴とする鍵盤楽器である。
【符号の説明】
【００７１】
１  楽器ケース
７  鍵盤部
１０  鍵盤蓋
１３  ガイド軸部
１７  前側ガイド部
１８  後側ガイド部
２０、３０  ロック機構
２１  ロック釦
２２、３３  ロック係止部
２３、３４  ばね部材
３１  ロック部材
３１ａ  軸部
３１ｂ  ロック板
３２  ロックピン
３５  回転規制部
【図１】
2015079133.tif 000003
【図２】
2015079133.tif 000004
【図３】
2015079133.tif 000005
【図４】
2015079133.tif 000006
【図５】
2015079133.tif 000007
【図６】
2015079133.tif 000008
【図７】
2015079133.tif 000009
【図８】
2015079133.tif 000010
【図９】
2015079133.tif 000011
【図１０】
2015079133.tif 000012